(57)【要約】  【課題】撮像装置に取付可能な外付けアクセサリの取付方法について、使用用途に応じて完全固定と摩擦固定との２種類を使い分けたい。  【解決手段】撮像装置のアクセサリ取付装置におけるアーム部の一端に設けられたアクセサリ側固定部において、一方の面に噛合い固定部を、他方の面に摩擦固定部とを備え、アーム部をアクセサリ側固定ねじによってアクセサリに固定する際に、アーム部の表裏を反転させて取り付けることによって、前記噛合い固定部がアクセサリに当接して固定する際には完全固定されて安定してアクセサリを保持することが可能となり、前記摩擦固定部がアクセサリに当接して固定する際には摩擦固定されてアクセサリの角度を微調整することが可能となる。【選択図】図４
2015125315.tif 000002
【特許請求の範囲】
【請求項１】
本体とアクセサリとを接続可能とする撮像装置のアクセサリ取付装置であって、
撮像装置本体とアクセサリを接続するアーム部と、
アクセサリ側固定ねじと、
本体側固定ねじと、
アクセサリに設けられたアクセサリ側固定部と、
本体に設けられた本体側固定部とを有し、
前記アーム部はアクセサリ側端部に、前記アクセサリ側固定ねじが挿通するアクセサリ側ねじ挿通孔と、
一方の面にアクセサリ側噛合い固定部と、
反対側の面にアクセサリ側摩擦固定部とを有し、
前記アクセサリ側ねじ挿通孔、アクセサリ側噛合い固定部、アクセサリ側摩擦固定部、は同一中心円上に配設される
ことを特徴とする、撮像装置のアクセサリ取付装置。
【請求項２】
前記アクセサリ側固定部は、前記アーム部のアクセサリ側ねじ挿通孔、アクセサリ側噛合い固定部、アクセサリ側摩擦固定部と対向する面に、アクセサリねじ螺合部、アクセサリ噛合い固定当接面、アクセサリ摩擦固定当接面とを有し、前記アクセサリねじ螺合部、噛合いアクセサリ固定当接面、アクセサリ摩擦固定当接面は同一中心円上に配設されることを特徴とする、請求項１に記載の撮像装置のアクセサリ取付装置。
【請求項３】
前記アーム部のアクセサリ側端部で同一中心円上に配設される、アクセサリ側噛合い固定部、アクセサリ側摩擦固定部、アクセサリ側ねじ挿通孔は、前記の順番に外周側から投影上重ならないように配設されることを特徴とする、請求項１又は請求項２に記載の撮像装置のアクセサリ取付装置。
【請求項４】
前記アクセサリ側固定部で同一中心円上に配設される、アクセサリ噛合い固定当接面、アクセサリ摩擦固定当接面、アクセサリねじ螺合部は、前記の順番に外周側から投影上重ならないように、且つ前記アクセサリ側噛合い固定部、アクセサリ側摩擦固定部、アクセサリ側ねじ挿通孔と対向した面に配設されることを特徴とする、請求項１乃至請求項３の何れか１項に記載の撮像装置のアクセサリ取付装置。
【請求項５】
前記アーム部はアクセサリ側端部と反対側の端部に本体側端部を備え、前記本体側端部は前記本体側固定ねじが挿通する本体側ねじ挿通孔と、両方の面にアクセサリ側噛合い固定部と同一形状の本体側噛合い固定部とを有し、前記本体側噛合い固定部と本体側ねじ挿通孔は同一中心円上に配設され、且つ前記の順番に外周側から配設されることを特徴とする、請求項１乃至請求項４の何れか１項に記載の撮像装置のアクセサリ取付装置。
【請求項６】
前記アクセサリ側摩擦固定部は、弾性部材を有することを特徴とする、請求項１乃至請求項５の何れか１項に記載の撮像装置のアクセサリ取付装置。
【発明の詳細な説明】
【技術分野】
【０００１】
本発明は、撮像装置のアクセサリ取付装置に関するものである。特に、撮像装置に外付けビューファインダーを取り付ける、撮像装置のアクセサリ取付装置に関するものである。
【背景技術】
【０００２】
近年の撮像装置は、撮影機能の拡張性を高めるために、外付けのアクセサリ機器を取り付けることができるようになっているものが多い。撮像装置に取付可能なアクセサリ機器には様々な種類があり、例えば業務用のビデオカメラには、視認性を重視するために大型の外付けビューファインダーなどが取り付けられることがある。この外付けビューファインダーは、ローアングル撮影やハイアングル撮影など、撮影形態に応じて角度を微調整できることが望ましいが、一方で長時間固定撮影時や移動時などにおいては、その角度を不変とするべく、完全に固定されていることが望ましい。
【０００３】
ビューファインダーの角度を調整可能とするために、例えば、ビューファインダーを円弧状の軌跡に沿って上下させる第１のチルト回転軸とビューファインダーの表示面の傾斜角を調整する第２のチルト回転軸とが設けられた指示腕部と、前記指示腕部を設けて、ビデオカメラの上部後方に固定基台に設けたパン回転軸を中心にパン方向に回転させるパン基板とを備えたビューファインダーのパンチルト機構の提案がなされている（特許文献１参照）。
【先行技術文献】
【特許文献】
【０００４】
【特許文献１】特開２００６−２９５５８９号公報
【発明の概要】
【発明が解決しようとする課題】
【０００５】
しかしながら、特許文献１に記載のビューファインダーのパンチルト機構では、チルト方向の回転軸が指示腕部の両端に２軸で形成されることで、ビューファインダーの角度に自由度を与えることができるが、チルト方向の保持は当接面の摩擦力のみであるため、チルト方向の固定が十分になされず、例えば長時間撮影時や移動時など、ビューファインダーの角度を不変にしたいときに完全に固定することができない。
【０００６】
本発明は上記の課題を鑑み、
ビューファインダーの回転（チルト）方向の動きを完全に固定する場合と、摩擦力によって固定してビューファインダーの角度を微調整する場合との、２通りの固定方法を選択することが可能な、撮像装置のアクセサリ取付装置を提供することを目的とする。
【課題を解決するための手段】
【０００７】
本発明は上記の課題を達成するために、請求項の１〜６に記載の手段からなる。
【発明の効果】
【０００８】
本発明によれば、アーム部の一端のアクセサリ側端部において、一方の面にアクセサリ側噛合い固定部を、反対側の面にアクセサリ側摩擦固定部とを備え、アーム部をアクセサリ側固定ねじによってアクセサリに固定する際に、アーム部の表裏を反転させて取り付けることによって、前記アクセサリ側噛合い固定部がアクセサリに設けられたアクセサリ側固定部のアクセサリ噛合い固定当接面に当接して固定する際には完全固定されて安定してアクセサリを保持することが可能となり、前記アクセサリ側摩擦固定部がアクセサリ側固定部のアクセサリ摩擦固定当接面に当接して固定する際には摩擦固定されてアクセサリの角度を微調整することが可能となる。これにより、ビューファインダーの回転方向の動きを完全に固定する場合と、摩擦力によって固定してビューファインダーの角度を微調整する場合との、２通りの固定方法を選択することが可能となる。
【０００９】
また、アクセサリ側端部のアクセサリ側噛合い固定部、アクセサリ側摩擦固定部、アクセサリ側ねじ挿通孔を同一中心円上に投影上重ならないように配設することで、アーム部を表裏反転させてアクセサリを取りつけてもアクセサリ側固定部の同一箇所で固定することが可能となり、つまり機器の小型化を達成することができる。
【図面の簡単な説明】
【００１０】
【図１】本発明の実施形態に係る撮像装置の斜視図
【図２】本発明の実施形態に係る撮像装置に外付けビューファインダーを取り付けた状態を表す斜視図
【図３】本発明の実施形態に係るアクセサリ取付装置を表す斜視図
【図４】本発明の実施形態に係るアーム部と外付けビューファインダーが完全固定の状態を表す分解斜視図
【図５】本発明の実施形態に係るアーム部と外付けビューファインダーが完全固定の状態を表す断面図
【図６】本発明の実施形態に係るアーム部と外付けビューファインダーが摩擦固定の状態を表す分解斜視図
【図７】本発明の実施形態に係るアーム部と外付けビューファインダーが摩擦固定の状態を表す断面図
【発明を実施するための形態】
【００１１】
以下図面に従って本発明による撮像装置の好ましい実施の形態について説明する。図１は、本発明の実施形態に係る撮像装置の斜視図である。特に図１（ａ）は後方上面側から見た斜視図で、図１（ｂ）は前方底面側から見た斜視図である。
【００１２】
図１に示したように、撮像装置１の前方には、撮影レンズ１０１が配設されている。本実施例中では、撮像装置１を撮影レンズ１０１を正面に左右上下の方向を付して説明を行う。撮像装置１の右側面には、撮影画や再生画を表示する液晶表示部１０２、動画記録を開始/停止するトリガーボタン１０３、本体の電源をＯＮ/ＯＦＦする電源ボタン１０４、記録媒体収容蓋１０５、カメラの設定などを変更する第一の操作ボタン群１０６を有する。トリガーボタン１０３を押圧することで記録媒体収納蓋１０５内に収納された記録媒体に映像データが記録される。撮像装置１の後面には、バッテリ蓋１０７、電源端子や映像出力端子などの端子部を保護する各種端子蓋１０８を有する。
【００１３】
撮像装置１の上面には、各種アクセサリを取り付けるためのねじ穴を設けた上面金属プレート１０９を有する。撮像装置１の左側面には、再生画などを制御する第二の操作ボタン群１１０、音声信号の入出力端子や外部機器との接続端子などの端子部を保護する各種端子蓋１１１を有する。撮像装置１の底面には、撮像装置１を三脚などに固定するための三脚ねじ穴をもった底面金属プレート１１２を有する。更に、撮像装置１内には、被写体の映像を受光する撮像素子（不図示）が撮影レンズ１０１の後方に配置されている。また、撮像装置１は、撮像素子で得られた映像信号を電気信号に変換するセンサ基板、撮像装置１を操作した際の入力信号等を制御する回路基板を備えている。
【００１４】
図２は、本発明の実施形態に係る撮像装置に外付けビューファインダーを取り付けた状態を示す斜視図である。特に図２（a）は前方上面側から見た斜視図で、図２（ｂ）は後方底面側から見た斜視図である。外付けビューファインダー２は、撮像装置１内の撮像素子によって撮像された映像を視認するためのものであり、前記映像を表示する表示部、表示部と電気的に接続される回路基板、前記表示部の表示面に表示される映像を拡大表示する光学ユニット２０１、それらを保持するケース部などを備える。
【００１５】
図２に示したように、外付けビューファインダー２は、接続ケーブル２０２を介して撮像装置１に接続され、撮像装置１、及び外付けビューファインダー２内において、それぞれの回路基板と接続され、映像信号や電源の供給を行う。外付けビューファインダー２の右側面には、拡大表示ボタンやメニューボタンなどの第三の操作ボタン群２０３を有する。
【００１６】
図２に示したように、外付けビューファインダー２は、アクセサリ取付装置３を介して撮像装置１に取り付けられる。アクセサリ取付装置３は、レールユニット３０とアームユニット３１から構成される。外付けビューファインダー２とレールユニット３０を連結するアームユニット３１は取り外し可能に支持されており、アクセサリ側固定ねじ３１０４を締めつけることによってアームユニット３１内のアーム部３１０をアクセサリ固定部２０４に対して取付可能となる。取り外し可能な前記アーム部３１０を表裏反転して取り付けることで、レールユニット３０に対して外付けビューファインダーユニット２を完全に固定する場合と、摩擦により固定する場合と２通りの固定方法が選択可能となる。つまり、アクセサリ取付装置３によって、撮像装置１に取り付けられる外付けビューファインダー２の固定方法を使用用途に応じて選択可能となる。その構成については、後述する。
【００１７】
図３は、本発明の実施形態に係るアクセサリ取付装置を表す斜視図である。特に図３（a）はアクセサリ取付装置が撮像装置１に取り付けられた時の前方上面側から見た斜視図で、図３（ｂ）はアクセサリ取付装置が撮像装置１に取り付けられた時の後方底面側から見た斜視図である。
【００１８】
レールユニット３０は、撮像装置１の左右方向に延在する左右方向レール部３００１と前後方向に延在する前後方向レール部３００２とが直交する略L字形状で構成される。前記左右方向レール部３００１及び前記前後方向レール部３００２の一方の面は、断面略コの字形状をしており、左右方向固定部材３００３及び前後方向固定部材３００４が前記左右方向レール部３００１及び前記前後方向レール部３００２内でそれぞれの方向に移動可能に配設される。前記左右方向固定部材３００３及び前記前後方向固定部材３００４には、左右方向固定ねじ３００５及び前後方向固定ねじ３００６のねじが螺合する左右方向ねじ螺合部（不図示）及び前後方向ねじ螺合部３００７がそれぞれ設けられており、前記左右方向固定部材３００３及び前記前後方向固定部材３００４を前記左右方向レール部３００１及び前記前後方向レール部３００２に対して固定可能とする。
【００１９】
前記前後方向固定部材３００４は、本体側固定ねじ３１０６のねじが螺合する本体ねじ螺合部３００８を有する。また、前記左右方向固定部材３００３には、前記左右方向ねじ螺合部が配設された面と垂直な面に本体取付部３００９を備え、撮像装置１の上面金属プレート１０９に対して取付可能となる。以上述べた構成により、レールユニット３０によって、外付けビューファインダー２の左右方向及び前後方向の位置を大きく変え、固定することが可能となる。
【００２０】
アームユニット３１は、アーム部３１０と、アクセサリ側固定ねじ３１０４と本体側固定ねじ３１０６から構成される。アーム部３１０は、一端にアクセサリ側端部３１０２と、反対側の一端に本体側端部３１０３を備えた、略小判形状のアームベース３１０１を備える。前記アームベース３１０１のアクセサリ側端部３１０２は、アクセサリ側固定ねじ３１０４のねじが通るアクセサリ側ねじ挿通孔３１０５を備え、アクセサリ側固定ねじ３１０４がアームベース３１０１を挟み込みながら外付けビューファインダー２に配設されたアクセサリ固定部２０４のアクセサリねじ螺合部２０４１に螺合して固定される。前記アームベース３１０１の本体側端部３１０３は、本体側固定ねじ３１０６のねじが通る本体側ねじ挿通孔３１０７を備え、本体側固定ねじ３１０６がアームベース３１０１を挟み込みながらレールユニット３０に配設された前後方向固定部材３００４の本体ねじ螺合部３００８に螺合して固定される。ここで、図３に示したように、本実施例上ではレールユニット３０を設けることで外付けビューファインダー２の位置の自由度を高めているが、レールユニット３０は構成上省略されてもよく、本体ねじ螺合部３００８は、レールユニット３１内の前後方向固定部材３００４ではなく撮像装置１に直接配設されてもよい。
【００２１】
次に、図４、５を用いて外付けビューファインダーを撮像装置に対して完全固定する際の構成について説明する。図４は、アーム部と外付けビューファインダーが完全固定の状態を表す分解斜視図である。図５はアーム部と外付けビューファインダーが完全固定の状態を表す断面図である。アームベース３１０１のアクセサリ側端部３１０２において、一方の面にアクセサリ側噛合い固定部３１０８を有する。前記アクセサリ側噛合い固定部３１０８は、円周状に広がる凹凸形状で形成され、アクセサリ側ねじ挿通孔３１０５と同一中心円上の最外周側に設けられる。また、外付けビューファインダー２に配設されたアクセサリ固定部２０４は、前記アクセサリねじ螺合部２０４１と同一中心円上の外周側にアクセサリ噛合い固定当接面２０４２を設け、前記アクセサリ噛合い固定当接面２０４２はアクセサリ側噛合い固定部３１０８と対向する面に略同一形状で円周状に広がる凹凸形状で形成される。
【００２２】
外付けビューファインダー２を完全固定する際は、アクセサリ側固定ねじ３１０４をアクセサリ側ねじ挿通孔３１０５に通し、アクセサリ側固定ねじ３１０４の台座部３１１２がアームベース３１０１の第一のねじ当接面３１１３に当接する位置において、アクセサリ側噛合い固定部３１０８がアクセサリ固定部２０４のアクセサリ噛合い固定当接面２０４２に噛合った状態でアクセサリ側固定ねじ３１０４をアクセサリねじ螺合部２０４１に螺合させる。すると、円周状に広がって形成されたアクセサリ側噛合い固定部３１０８とアクセサリ噛合い固定当接面２０４２の凹凸が噛合い、外付けビューファインダー２の回転方向の動きが規制され、完全固定が可能となる。
【００２３】
次に、図６、７を用いて外付けビューファインダーを撮像装置に対して摩擦固定する際の構成について説明する。図６は、アーム部と外付けビューファインダーが摩擦固定の状態を表す分解斜視図である。図７はアーム部と外付けビューファインダーが摩擦固定の状態を表す断面図である。なお、図６及び図７は、図４及び図５に対してアーム部３１０を表裏反転させて外付けビューファインダー２に対して取り付けた状態を表す。アーム部３１０内のアームベース３１０１のアクセサリ側端部３１０２において、アクセサリ側噛合い固定部３１０８と反対側の面にアクセサリ側摩擦固定部３１０９を有する。前記アクセサリ側摩擦固定部３１０９は、弾性部材である皿バネ３１１０と、前期皿バネ３１１０より一定の弾性力が発生するように前記皿バネ３１１０を保持するケース部３１１１とで構成され、例えば固定用ねじ３１１２などでベース部３１０１に固定される。
【００２４】
皿バネ３１１０及びケース部３１１１は、円形の中空形状で形成され、アクセサリ側ねじ挿通孔３１０５と同一中心円上の外周側に設けられる。また、外付けビューファインダー２に配設されたアクセサリ固定部２０４は、前記アクセサリねじ螺合部２０４１と同一中心円上にアクセサリ摩擦固定当接面２０４３を設け、前記アクセサリ摩擦固定当接面２０４３は前記アクセサリねじ螺合部２０４１の外周側且つ前記アクセサリ噛合い固定当接面２０４２の内周側で、且つ、ケース部３１１１と対向する面に形成される。
【００２５】
外付けビューファインダー２を摩擦固定する際は、アクセサリ側固定ねじ３１０４をアクセサリ側ねじ挿通孔３１０５に通し、アクセサリ側固定ねじ３１０４の台座部３１１２がアームベース３１０１の第二のねじ当接面３１１４に当接する位置において、アクセサリ側摩擦固定部３１０９のケース部３１１１がアクセサリ固定部２０４のアクセサリ摩擦固定当接面２０４３に当接した状態でアクセサリ側固定ねじ３１０４をアクセサリねじ螺合部２０４１に螺合させる。すると、前記皿バネ３１１０の弾性力によってケース部材３１１１の表面とアクセサリ固定部２０４のアクセサリ摩擦固定当接面２０４３との間に一定の摩擦荷重が発生し、外付けビューファインダー２がアーム部３１０に前述の摩擦力によって保持され、外付けビューファインダー２の回転方向の動きに多少の自由度のある摩擦固定が可能となる。
【００２６】
また、アクセサリ固定部２０４上で同一中心円上に配設されたアクセサリ噛合い固定当接面２０４２、アクセサリ摩擦固定当接面２０４３、アクセサリねじ螺合部２０４１を前記の順番に外周側から投影上重ならないように配設することで、アーム部３１０の表裏を反転させて外付けビューファインダー２に取り付けた際もアクセサリ固定部２０４の同一箇所で固定することが可能となる。更に、アクセサリ噛合い固定当接面２０４２を最外周面側に配設することで、円周状に広がる噛合い部の凹凸面の面積を増やすことができ、保持力を増すことが可能となる。これらの構成は、アームベース３１０１に配設されたアクセサリ側噛合い固定部３１０８、アクセサリ側摩擦固定部３１０９、アクセサリ側ねじ挿通孔３１０５についても同様の構成である。
【００２７】
次に、図４及び図６を用いて、アームベースの一端の本体側端部が完全固定される構成について説明する。
【００２８】
図４に示したように、アームベース３１０１のアクセサリ側端部３１０２とは反対側に備えられた本体側端部３１０３において、アクセサリ側噛合い固定部３１０８と同一面側に第一の本体側噛合い固定部３１１５を備える。本体側固定ねじ３１０６のねじが螺合して固定される前後方向固定部材３００４において、前記第一の本体側噛合い固定部３１１５と対向する面に、本体噛合い固定当接面３００９を備える。前記第一の本体側噛合い固定部３１１５及び前記本体噛合い固定当接面３００９は、前記アクセサリ側噛合い固定部３１０８及びアクセサリ噛合い固定当接面２０４２と略同一形状である。よって、アクセサリ側噛合い固定部３１０８とアクセサリ噛合い固定当接面２０４２とが噛合いによって完全固定されるとき、第一の本体側噛合い固定部３１１５と本体噛合い固定当接面３００９も同様に噛合いによって完全固定される。
【００２９】
また、図６に示したように、アームベース３１０１の本体側端部３１０３において、アクセサリ側摩擦固定部３１０９と同一面側に第二の本体側噛合い固定部３１１６を備える。前記第二の本体側噛合い固定部３１１６は、第一の本体側噛合い固定部３１１５と略同一形状であり、本体側噛合い固定部３１１５の反対側の面に配設される。よって、アクセサリ側摩擦固定部３１０９とアクセサリ摩擦固定当接面２０４３とが摩擦力によって固定されるとき、第二の本体側噛合い固定部３１１６と本体噛合い固定当接面３００９も同様に噛合いによって完全固定される。
【００３０】
したがって、外付けビューファインダー２を撮像装置１に固定する際に、アクセサリ側端部３１０２においてはアーム部３１０の表裏を反転させることによって、その固定方法を完全固定及び摩擦固定の２通りの固定方法の選択が可能となるが、本体側端部３１０３においてはアーム部３１０の表裏を反転させてもその固定方法は常に完全固定となる。これは、本体側端部３１０３にはアクセサリ端部３１０２と比較して大きなトルクが発生するため、両面ともに噛合い固定部を有することで、本体固定部の緩みを防止する効果が得られる。
【００３１】
このように、撮像装置にアクセサリを取り付けるための撮像装置のアクセサリ取付装置において、アーム部の一端の一方の面に噛合い固定部を、反対側の面に摩擦固定部を備え、アーム部をアクセサリ側固定ねじによってアクセサリに固定する際に、アーム部の表裏を反転させて取り付けることによって、前記噛合い固定部がアクセサリに当接して固定する際にはアクセサリの回転方向が完全固定されて安定してアクセサリを保持することが可能となり、前記摩擦固定部がアクセサリに当接して固定する際にはアクセサリの回転方向が摩擦固定されてアクセサリの角度を微調整することが可能となる。
【００３２】
また、噛合い固定部、摩擦固定部、及びねじ挿通孔を同一中心円上に前記の順番に外周側から投影上重ならないように配設することで、アーム部を表裏反転させ固定方法を変えて取り付けた際も同一箇所において固定することが可能となり、機器の小型化を達成することができる。つまり、ローアングル撮影時やハイアングル撮影時など撮影形態が変化するときにおいては、摩擦固定によってアクセサリの角度を微調整することが可能となり、長時間撮影時や移動時などアクセサリの角度を不変としたいときにおいては、アーム部の取付を表裏反転させることによって噛合い固定によってアクセサリの角度を完全に固定することが可能となる、というように、使用形態に応じてアクセサリの固定方法を２通りから選択することが可能となる。
【００３３】
以上本発明を図示の実施の形態によって説明したが、本発明は上記実施の形態によって限定されることなく、発明の技術的思想の範囲内において各種の変更が可能である。例えば、摩擦固定部において皿バネを用いる構成としたが、ゴム部材やクッション部材などの弾性部材を用いてもよい。これら摩擦力を発生させるための弾性部材は、固定されるアクセサリの大きさや重さに応じて選択可能であることが望ましい。
【符号の説明】
【００３４】
１       撮像装置
１０１   撮影レンズ
１０９   上面金属プレート
２       外付けビューファインダー
２０１   光学ユニット
２０２   接続ケーブル
２０４   アクセサリ固定部
２０４１        アクセサリねじ螺合部
２０４２        アクセサリ噛合い固定当接面
２０４３        アクセサリ摩擦固定当接面
３       アクセサリ取付装置
３０     レールユニット
３００４        前後方向固定部材
３００８        本体ねじ螺合部
３００９        本体噛合い固定当接面
３１     アームユニット
３１０   アーム部
３１０１        アームベース
３１０２        アクセサリ側端部
３１０３        本体側端部
３１０４        アクセサリ側固定ねじ
３１０５        アクセサリ側ねじ挿通孔
３１０６        本体側固定ねじ
３１０７        本体側ねじ挿通孔
３１０８        アクセサリ側噛合い固定部
３１０９        アクセサリ側摩擦固定部
３１１０        皿バネ
３１１１        ケース部
３１１５        第一の本体側噛合い固定部
３１１６        第二の本体側噛合い固定部
【図１】
2015125315.tif 000003
【図２】
2015125315.tif 000004
【図３】
2015125315.tif 000005
【図４】
2015125315.tif 000006
【図５】
2015125315.tif 000007
【図６】
2015125315.tif 000008
【図７】
2015125315.tif 000009